(57)【要約】【課題】いつでも必要なときに両手を空けて子供を抱いたり背負ったりでき、かつ保護者のファッション性をも子供のファッション性をも低下させないこと。【解決手段】子供用背負い袋本体２には１対の肩掛けベルト７が左右の上部開閉具から引き出し可能に、子供１６の股下を支持するための股布地９が下部開閉具から引き出し可能に強固に縫付けられており、股布地９の他端には保護者１５の腰に装着する腰ベルト１０が縫付けられており、肩掛けベルト７の先端は保護者１５の背中側で腰ベルト１０に接続される。子供１６は肩紐３ａ，３ｂで背負い袋本体２に密着して支えられ、（ａ）のように子供１６が乳児の場合は肩掛けベルト７を交差させ保護者１５の肩に掛けて装着するが、（ｂ）のように子供１６が幼児の場合には良く動くようになるので肩掛けベルト７を交差させ子供１６の脇の下を通してから保護者１５の肩に掛ける。【選択図】        図３
2005023455.tif 000002
【特許請求の範囲】
【請求項１】
背負い袋本体内部に左右１対で取付けられた先端に一方の接続具を有する長さ調節機構付きの肩掛けベルトと、
前記背負い袋本体内部に取付けられた子供の股を支える所定長さの股布地と、
該股布地の端部付近に中央部分が取付けられ、両端に１組の接続具の一方と他方のそれぞれを有し、前記肩掛けベルトの先端の接続具の一方に対応する位置に前記接続具の他方がそれぞれ取付けられた長さ調節機構付きの腰ベルトとを具備し、
不使用時に前記肩掛けベルト及び前記腰ベルト及び前記股布地は、前記背負い袋本体内へ収納しておくことを特徴とする子供用背負い袋。
【請求項２】
背負い袋本体の上端に１箇所以上開閉自在に設けられた上部開閉具と、
前記背負い袋本体の下端に開閉自在に設けられた下部開閉具と、
前記背負い袋本体内部の前記上部開閉具近傍に左右１対で取付けられた先端に接続具の一方を有する長さ調節機構付きの肩掛けベルトと、
前記背負い袋本体内部の前記下部開閉具近傍に取付けられた子供の股を支える所定長さの股布地と、
該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトと、
前記背負い袋本体に取付けられ、子供が前記背負い袋本体を背負うための１対の長さ調節機構付きの肩紐とを具備し、
不使用時には前記肩掛けベルトは前記上部開閉具の開口部分から前記背負い袋本体内へ収納し、前記腰ベルト及び前記股布地は前記下部開閉具の開口部分から前記背負い袋本体内へ収納して、前記上部開閉具及び前記下部開閉具を閉じておくことを特徴とする子供用背負い袋。
【請求項３】
前記肩紐は前記接続具の他方が取付けられた上部紐と前記接続具の一方が取付けられた下部紐とが接続されてなり、前記肩掛けベルトは前記腰ベルトの所定位置に接続されて反対側の先端には前記接続具の一方が取付けられており、
使用時には前記上部紐と前記下部紐とが分離されて、前記上部紐の前記接続具の他方に前記肩掛けベルトの先端の前記接続具の一方が接続されることを特徴とする請求項２に記載の子供用背負い袋。
【請求項４】
前記肩掛けベルト及び／または前記股布地及び／または前記上部紐と前記下部紐が着脱可能に前記背負い袋本体内に取付けられていることを特徴とする請求項２または請求項３に記載の子供用背負い袋。
【請求項５】
前記背負い袋本体の背面に１または２以上のポケットを取付けたことを特徴とする請求項１乃至請求項４のいずれか１つに記載の子供用背負い袋。
【請求項６】
前記背負い袋本体内において、前記肩掛けベルトの収納部分と前記腰ベルト及び前記股布地の収納部分が区分されていることを特徴とする請求項１乃至請求項５のいずれか１つに記載の子供用背負い袋。
【請求項７】
前記肩紐、前記肩掛けベルト、前記腰ベルト及び前記股布地は前記背負い袋本体と同一の生地で作られていることを特徴とする請求項１乃至請求項６のいずれか１つに記載の子供用背負い袋。
【請求項８】
前記１対の肩掛けベルトの保護者の肩に当る部分、前記股布地、前記背負い袋本体の子供の背中に当る面及び前記肩紐の子供の肩に当る部分の中に緩衝材を入れたことを特徴とする請求項１乃至請求項７のいずれか１つに記載の子供用背負い袋。
【請求項９】
前記背負い袋本体内または前記ポケット内または前記ポケットの袋状のフラップ内には子供用マントが収納されており、着用時には前記子供用マントを前記背負い袋本体内または前記ポケット内または前記フラップ内から取り出し、前記子供用マントの下端部に取付けられている取付け具の一方を前記背負い袋本体または前記ポケットまたは前記フラップに取付けられている前記取付け具の他方に取付け、前記子供用マントを子供に被せて前記子供用マントの上部に取付けられている止め紐を子供の首に掛けて前で結んで止めることを特徴とする請求項１乃至請求項８のいずれか１つに記載の子供用背負い袋。
【請求項１０】
前記子供用マントは前記止め紐よりさらに上方に伸びて子供の頭部を包む形状を成し、先端には腰のある材料からなる鍔が取付けられて帽子と一体化していることを特徴とする請求項９に記載の子供用背負い袋。
【請求項１１】
前記背負い袋本体または前記ポケット内または前記フラップ内には２枚の子供用マントが収納されており、うち１枚は防寒用の生地からなり、もう１枚は防水用の生地からなるもので、２枚重ねて同時に使用し、または気候に応じて使い分けることを特徴とする請求項９または請求項１０に記載の子供用背負い袋。
【発明の詳細な説明】
【０００１】
【発明の属する技術分野】
本発明は、幼児等の子供を抱いたり背負ったりするためのベルトを備えた子供用リュックサック・子供用ポシェット・子供用バッグ等の子供用背負い袋に関するものであり、特に、抱いたり背負ったりしないときには通常の背負い袋として子供に背負わせてファッション性を低下させることのない子供用背負い袋に関するものである。
【０００２】
【従来の技術】
【特許文献１】特開２００１−５５６０８号公報
上記特許文献１においては、格別専用の用具を持参する必要がなく、いつでも必要なときに両手を空けて子供を抱くことができ、かつ保護者のファッション性を低下させることのない子供ズボンにかかる発明が開示されている。この特許文献１に開示された発明においては、大きい機械的張力に耐えるウエスト部及び臀部位置を有する子供用ズボン本体と、子供用ズボン本体の右脚部と左脚部の股部の±１５ｃｍの範囲内に一端部を固着し、ウエスト部付近に他端を固着した１対のベルトとを具備している。
【０００３】
これによって、抱いたり背負ったりする用具を持参しなくても必要なときに子供ズボンに取付けてある１対のベルトを使用することによって、子供を抱いたり背負ったりすることができ、両手が自由になり、抱いたり背負ったりする用具を持ち歩く必要もないので、保護者のファッション性を低下させることもない。さらに、子供用ズボン本体に１対のベルトを収容する収容袋を取付けることによって、子供用ズボン本体の意匠性を低下させることがなく、もう歩ける幼児が着用している場合でも１対のベルトが幼児の歩行の妨げになることもない。
【０００４】
【発明が解決しようとする課題】
しかしながら、上記特許文献１に記載された子供ズボンにおいては、１対のベルトを子供用ズボン本体の前面に取付けているために、子供を抱いたときに保護者と接近しすぎて窮屈であり装着がし難く、また１対のベルトが子供用ズボン本体の下半身側に取付けられているために、上半身が不安定で子供も保護者も落ち着かず、子供が動くとずり落ちてしまうという問題点があった。さらに、ファッション性においても、通常の子供ズボンよりは劣るという難点もあった。
【０００５】
そこで、本発明は、普段は子供に背負わせて歩かせておいて、子供も保護者も楽にかつ安定して取付けられるベルトを具備しており、いつでも必要なときに両手を空けて子供を抱いたり背負ったりすることができ、かつ保護者のファッション性をも子供のファッション性をも低下させることのない子供用背負い袋の提供を課題とするものである。
【０００６】
【課題を解決するための手段】
請求項１の発明にかかる子供用背負い袋は、背負い袋本体内部に左右１対で取付けられた先端に一方の接続具を有する長さ調節機構付きの肩掛けベルトと、前記背負い袋本体内部に取付けられた子供の股を支える所定長さの股布地と、該股布地の端部付近に中央部分が取付けられ、両端に１組の接続具の一方と他方のそれぞれを有し、前記肩掛けベルトの先端の接続具の一方に対応する位置に前記接続具の他方がそれぞれ取付けられた長さ調節機構付きの腰ベルトとを具備し、不使用時に前記肩掛けベルト及び前記腰ベルト及び前記股布地は、前記背負い袋本体内へ収納しておくものである。
【０００７】
このように構成された子供用背負い袋において、保護者が子供を抱いたり背負ったりするときには、まず１対の肩紐を長さ調節機構で調節して、子供と背負い袋本体がより密着するようにする。次に、背負い袋本体の肩掛けベルトと股布地及び腰ベルトとをそれぞれ引き出し、股布地を子供の股下を通してから腰ベルトを保護者の腰回りに回して両端の接続具を接続し、腰ベルトを保護者の腰回りに装着する。それから、長さ調節機構によって腰ベルトの長さを保護者の腰回りに合わせて調節するが、この作業は出かける前に予めやっておく方がより好ましい。
【０００８】
続いて、１対の肩掛けベルトを子供の両脇の下を通して保護者の肩に掛け、肩掛けベルトの先端の接続具の一方を腰ベルトに設けられた接続具の他方に接続して、長さ調節機構によって肩掛けベルトの長さを調節するが、この作業も出かける前に予めやっておく方がより好ましい。
【０００９】
こうして、子供を抱いたり背負ったりすることができるが、子供が背負った背負い袋本体から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中に背負い袋を背負った状態であり、さらに不使用時にはベルト類は全て背負い袋本体の中に収容されるので、保護者のファッション性も子供のファッション性も損なわれることがない。
【００１０】
このようにして、いつでも必要なときに両手を空けて子供を抱いたり背負ったりすることができ、かつ、保護者のファッション性をも子供のファッション性をも低下させることのない子供用背負い袋となる。
【００１１】
ここで、「接続具」としては、スライドバックル、スライドループ、Ｄカン、ナスカン、セットフック、プラスティックバックル等の金属製のもの或いは合成樹脂製のものがある。また、「長さ調節機構」としては、アジャスターバックル、スライドバックル、スライドループ等の金属製のもの或いは合成樹脂製のものがある。
【００１２】
請求項２の発明にかかる子供用背負い袋は、背負い袋本体の上端に沿って１箇所以上開閉自在に設けられた上部開閉具と、前記背負い袋本体の下端に沿って開閉自在に設けられた下部開閉具と、前記背負い袋本体内部の前記上部開閉具近傍に左右１対で取付けられた先端に接続具の一方を有する長さ調節機構付きの肩掛けベルトと、前記背負い袋本体内部の前記下部開閉具近傍に取付けられた子供の股を支える所定長さの股布地と、該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトと、前記背負い袋本体に取付けられ、子供が前記背負い袋本体を背負うための１対の長さ調節機構付きの肩紐とを具備し、不使用時には前記肩掛けベルトは前記上部開閉具の開口部分から前記背負い袋本体内へ収納し、前記腰ベルト及び前記股布地は前記下部開閉具の開口部分から前記背負い袋本体内へ収納して、前記上部開閉具及び前記下部開閉具を閉じておくものである。
【００１３】
ここで、「接続具」としては、スライドバックル、スライドループ、Ｄカン、ナスカン、セットフック、プラスティックバックル等の金属製のもの或いは合成樹脂製のものがある。また、「長さ調節機構」としては、アジャスターバックル、スライドバックル、スライドループ等の金属製のもの或いは合成樹脂製のものがある。そして、「開閉具」としては、ファスナー、スナップボタン、ボタン、接着布等が使用される。
【００１４】
このように構成された子供用背負い袋において、保護者が子供を抱いたり背負ったりするときには、まず１対の肩紐を長さ調節機構で調節して、子供と背負い袋本体がより密着するようにする。次に、背負い袋本体の上部開閉具と下部開閉具を全開にして肩掛けベルトと股布地及び腰ベルトとをそれぞれ上下から引き出し、股布地を子供の股下を通してから腰ベルトを保護者の腰回りに回して両端の接続具を接続し、腰ベルトを保護者の腰回りに装着する。それから、長さ調節機構によって腰ベルトの長さを保護者の腰回りに合わせて調節するが、この作業は出かける前に予めやっておく方がより好ましい。
【００１５】
続いて、１対の肩掛けベルトを子供の両脇の下を通して保護者の肩に掛け、肩掛けベルトの先端の接続具の一方を腰ベルトに設けられた接続具の他方に接続して、長さ調節機構によって肩掛けベルトの長さを調節するが、この作業も出かける前に予めやっておく方がより好ましい。
【００１６】
こうして、子供を抱いたり背負ったりすることができるが、子供が背負った背負い袋本体の上部から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中に背負い袋を背負った状態であり、さらに不使用時にはベルト類は全て背負い袋本体の中に収容されるので、保護者のファッション性も子供のファッション性も損なわれることがない。
【００１７】
このようにして、普段は子供に背負わせて歩かせておいて、子供も保護者も楽にかつ安定して取付けられるベルトを具備しており、いつでも必要なときに両手を空けて子供を抱いたり背負ったりすることができ、かつ保護者のファッション性をも子供のファッション性をも低下させることのない子供用背負い袋となる。
【００１８】
請求項３の発明にかかる子供用背負い袋は、請求項２の構成において、前記肩紐は前記接続具の他方が取付けられた上部紐と前記接続具の一方が取付けられた下部紐とが接続されてなり、前記肩掛けベルトは前記腰ベルトの所定位置に接続されて反対側の先端には前記接続具の一方が取付けられており、使用時には前記上部紐と前記下部紐とが分離されて、前記上部紐の前記接続具の他方に前記肩掛けベルトの先端の前記接続具の一方が接続されるものである。
【００１９】
これによって、肩掛けベルト，股布地及び腰ベルトは一体となり、背負い袋本体の下部開閉具を開けたところに収納されるので、背負い袋本体の上部開閉具を開けた部分に物を入れることができる。また、子供用背負い袋を子供を抱いたり背負ったりするのに使う場合でも、上部開閉具を開ける必要がないので入れてある物が飛び出す心配はない。さらに、子供用背負い袋として使わない場合には、両端に接続具の一方と他方をそれぞれ取付けた延長ベルトを１対用意して、１対の肩紐を分離して上部紐と下部紐との間に延長ベルトを接続して肩紐を長くすれば大人用背負い袋となり、内部のベルト類を取り出せば充分に物を入れて用いることができる。
【００２０】
請求項４の発明にかかる子供用背負い袋は、請求項２または請求項３の構成において、前記肩掛けベルト及び／または前記股布地及び／または前記上部紐と前記下部紐が着脱可能に前記背負い袋本体内に取付けられているものである。
【００２１】
肩掛けベルトまたは股布地とそれに繋がる腰ベルト、またはその両方、または肩紐を構成する上部紐と下部紐を背負い袋本体から着脱可能とすることによって、洗濯するときに背負い袋本体とベルト類とを別々に洗濯することができるので、非常に楽である。また、肩掛けベルト及び股布地とそれに繋がる腰ベルトを全て外してしまえば、背負い袋本体内に空間ができるので、普通の背負い袋として使用することができ、外出時にタオル・ハンカチ・ティッシュペーパー等を入れて、子供に背負わせて歩かせることができる。
【００２２】
このようにして、子供も保護者も楽にかつ安定して取付けられるベルトを具備するとともに、洗濯するときに背負い袋本体とベルト類とを別々に洗濯することができ、またベルト類を全て取外すことによって普通の背負い袋としても使用できる子供用背負い袋となる。
【００２３】
請求項５の発明にかかる子供用背負い袋は、請求項１乃至請求項４のいずれか１つの構成において、前記背負い袋本体の背面に１または２以上のポケットを取付けたものである。
【００２４】
通常時、背負い袋本体の中にはベルト類が収納されているので、小物入れとしても使い難い。しかし、このように背面にポケットを取付けることによって、ちょっとした小物（ハンカチ、ティッシュペーパー、菓子等）を入れることができて便利であり、ポケットにデザインを施せばファッション性も向上する。さらに、１対の肩掛けベルト及び股布地を背負い袋本体の背面側に縫付けた場合には、縫い跡がポケットで隠れるので見栄えが良くなる。
【００２５】
このようにして、子供も保護者も楽にかつ安定して取付けられるベルトを具備するとともに、小物入れとしても便利でファッション性を向上させることができる子供用背負い袋となる。
【００２６】
請求項６の発明にかかる子供用背負い袋は、請求項１乃至請求項５のいずれか１つの構成において、前記背負い袋本体内において、前記肩掛けベルトの収納部分と前記腰ベルト及び前記股布地の収納部分が区分されているものである。
【００２７】
背負い袋本体内を区分しておかないと、肩掛けベルトと腰ベルトが絡まってしまって引き出すのが困難になる恐れがあり、また肩掛けベルトと腰ベルトとして使用しているときに、開いている上部開閉具から空の背負い袋本体内に物を入れようとすると、下部開閉具も開いているため物が落ちてしまう。
【００２８】
しかし、このように、背負い袋本体内の上部開閉具から入れる部分と下部開閉具から入れる部分が区分されていれば、肩掛けベルトと腰ベルトが絡まることもなくスムーズに別々に引き出すことができ、また肩掛けベルトと腰ベルトとして使用しているときに、開いている上部開閉具から空の背負い袋本体内に物を入れても落ちる心配はない。
【００２９】
このようにして、子供も保護者も楽にかつ安定して取付けられるベルトを具備するとともに、肩掛けベルトと腰ベルトをスムーズに別々に引き出すことができ、空の背負い袋本体内に物を入れることができる子供用背負い袋となる。
【００３０】
請求項７の発明にかかる子供用背負い袋は、請求項１乃至請求項６のいずれか１つの構成において、前記肩紐、前記肩掛けベルト、前記腰ベルト及び前記股布地は前記背負い袋本体と同一の生地で作られているものである。
【００３１】
これによって、肩紐、肩掛けベルト、股布地及び腰ベルトの使用中においても、背負い袋本体と一体化して見られるため、子供のファッション性を損なうことがない。さらに、子供服や保護者の着る服も背負い袋本体の生地に合わせてコーディネートすれば、子供のファッション性も向上し、保護者のファッション性も損なうことがない。
【００３２】
このようにして、子供も保護者も楽にかつ安定して取付けられるベルトを具備するとともに、子供や保護者のファッション性を損なうことがない子供用背負い袋となる。
【００３３】
請求項８の発明にかかる子供用背負い袋は、請求項１乃至請求項７のいずれか１つの構成において、前記１対の肩掛けベルトの保護者の肩に当る部分、前記股布地、前記背負い袋本体の子供の背中に当る面及び前記肩紐の子供の肩に当る部分の中に緩衝材を入れたものである。
【００３４】
ここで、緩衝材としては、ドミット芯（キルティングの中身）やウレタンフォーム等がある。
【００３５】
１対の肩掛けベルトには、保護者が子供を抱いたり背負ったりするときに肩の部分に荷重が掛かり、股布地は子供の股を支えるため子供の体重の一部が掛かり、背負い袋本体の子供の背中に当る面にも子供の体重の一部が掛かり、肩紐の子供の肩に当る部分は子供の体と背負い袋本体から伸びるベルト類をつなぐ部分であるため、やはり荷重が掛かる。そこで、中にドミット芯やウレタンフォーム等の緩衝材を入れることによって当りを柔らかくして局部的に圧迫されることがないようにしたものである。
【００３６】
このようにして、子供も保護者も楽にかつ安定して取付けられるベルトを具備するとともに、保護者も子供も局部的に圧迫されることがなく、長時間ベルト類を用いて子供を抱いたり背負ったりしても保護者も子供も苦痛を感じることがない子供用背負い袋となる。
【００３７】
請求項９の発明にかかる子供用背負い袋は、請求項１乃至請求項８のいずれか１つの構成において、前記背負い袋本体内または前記ポケット内または前記ポケットの袋状のフラップ内には子供用マントが収納されており、着用時には前記子供用マントを前記背負い袋本体内または前記ポケット内または前記フラップ内から取り出し、前記子供用マントの下端部に取付けられている取付け具の一方を前記背負い袋本体または前記ポケットまたは前記フラップに取付けられている前記取付け具の他方に取付け、前記子供用マントを子供に被せて前記子供用マントの上部に取付けられている止め紐を子供の首に掛けて前で結んで止めるものである。
【００３８】
ここで、「取付け具」としては、１組の接着布、ボタンとボタンホール、１組のドット釦、１組のスナップ、Ｄカンとナスカン等がある。
【００３９】
これによって、抱いたり背負ったりした子供に防寒、雨避け等の目的で子供用マントを被せることができ、より一層便利な子供用背負い袋となる。
【００４０】
このようにして、子供も保護者も楽にかつ安定して取付けられるベルトを具備するとともに、子供に防寒、雨避け等の目的で子供用マントを被せることができる子供用背負い袋となる。
【００４１】
請求項１０の発明にかかる子供用背負い袋は、請求項９の構成において、前記子供用マントは前記止め紐よりさらに上方に伸びて子供の頭部を包む形状を成し、先端には腰のある材料からなる鍔が取付けられて帽子と一体化しているものである。
【００４２】
これによって、抱いたり背負ったりした子供に防寒、雨避け等の目的で子供用マントを被せることができるとともに、帽子も被せることができ、防寒、雨避け、日差し避け等の役割を果たして、より一層便利な子供用背負い袋となる。
【００４３】
このようにして、子供も保護者も楽にかつ安定して取付けられるベルトを具備するとともに、子供に防寒、雨避け、日差し避け等の目的で子供用マントとともに帽子をも被せることができる子供用背負い袋となる。
【００４４】
請求項１１の発明にかかる子供用背負い袋は、請求項９または請求項１０の構成において、前記背負い袋本体または前記ポケット内または前記フラップ内には２枚の子供用マントが収納されており、うち１枚は防寒用の生地からなり、もう１枚は防水用の生地からなるもので、２枚重ねて同時に使用し、または気候に応じて使い分けるものである。
【００４５】
これによって、冬季等の防寒のためには防寒用の生地からなる子供用マントを取り出して装着することができ、雨天時の雨避けや日差しの強い日の日差し避けには防水用の生地からなる子供用マントを取り出して装着することができるので、子供用マントの使用目的に応じて最適な生地のマントを使い分けることができる。また、冬季の雨や雪のときのように防寒と防水が同時に必要な場合は、防寒用の生地からなる子供用マントを内側にして２枚重ねて同時に使用することも可能であり、より実用的な子供用背負い袋となる。
【００４６】
【発明の実施の形態】
以下、本発明の実施の形態について、図面を参照して説明する。以下の実施の形態では、本発明を乳幼児に適用した場合について説明するが、本発明を実施する場合は乳幼児に限定されるものではなく、抱いたり背負ったりする必要が生ずる子供一般に適用できるものである。
【００４７】
実施の形態１
まず、本発明の実施の形態１について、図１乃至図３を参照して説明する。図１は本発明の実施の形態１にかかる子供用背負い袋のベルト類を背負い袋本体の中に収納して上部開閉具及び下部開閉具を閉じた状態を背負い袋本体の背面側から見て示す背面図である。図２（ａ）は本発明の実施の形態１にかかる子供用背負い袋のベルト類を背負い袋本体から引き出して、肩掛けベルトを交差させずに装着する寸前の状態を示す正面図、（ｂ）は肩掛けベルトを交差させて装着する寸前の状態を示す正面図である。図３（ａ）は本発明の実施の形態１にかかる子供用背負い袋を用いて乳児を抱いた状態を示す斜視図、（ｂ）はもう少し大きい幼児を抱いた状態を示す斜視図である。
【００４８】
図１に示されるように、本実施の形態１にかかる子供用背負い袋としての子供用リュックサック１のリュックサック本体２には大きなマチが付いており、内部の容積が大きくなっている。リュックサック本体２の上端には、左右に分かれて２つの上部開閉具としての上部ファスナー４ａが開閉自在に取付けられており、リュックサック本体２の下端には全長に亘って下部開閉具としての下部ファスナー４ｂが開閉自在に取付けられている。
【００４９】
また、リュックサック本体２の上端の上部ファスナー４ａより向う側には、子供に背負わせるための１対の肩紐３の上端が縫付けられ、これら１対の肩紐３の下端は下部ファスナー４ｂの両側に縫付けられている。これら肩紐３は本体部分３ａと長さ調節部分３ｂに分かれており、１組のドット釦３ｄによって着脱可能になっている。長さ調節部分３ｂには、長さ調節機構としてのアジャスターバックル３ｃが設けられている。
【００５０】
そして、リュックサック本体２内部の上部ファスナー４ａの近傍には、子供を抱いたり背負ったりするベルト類のうち、１対の肩掛けベルトが左右の上部ファスナー４ａから引き出し可能に、リュックサック本体２の背中側（手前側）に強固に縫付けられている。また、下部ファスナー４ｂの近傍には、子供の股下を支持するための股布地が下部ファスナー４ｂから引き出し可能に、リュックサック本体２の背中側に強固に縫付けられている。さらに、この股布地の他端には保護者の腰に装着するための腰ベルトの中央部分が縫付けられており、これらの１対の肩掛けベルト、股布地及び腰ベルトは、通常時はリュックサック本体２の内部に収納されており、上部ファスナー４ａ及び下部ファスナー４ｂは閉じられている。
【００５１】
リュックサック本体２は、撥水性のポリエステル生地を表面に用いて製造されており、肩紐３、肩掛けベルト７、腰ベルト１０及び股布地９も同色のポリエステル生地を表面に用いて製造されている。また、肩掛けベルト７の保護者の肩に当る部分、股布地９、リュックサック本体２の子供の背中に当る面及び肩紐３の子供の肩に当る部分の中には、緩衝材としてのドミット芯が入れられている。さらに、リュックサック本体２の内部は、上部ファスナー４ａから入れられる部分と下部ファスナー４ｂから入れられる部分とが区分されている。
【００５２】
次に、子供を抱いたり背負ったりするときのベルト類の装着方法について、図２を参照して説明する。図２（ａ）に示されるように、上部ファスナー４ａ及び下部ファスナー４ｂを全開にして、まず下部ファスナー４ｂ開口部から股布地９及びそれにつながる腰ベルト１０を引き出す。そして、抱くにしても背負うにしても、股布地９を子供の股下に通して、腰ベルト１０を両端の接続具としてのプラスティックバックルの一方（凸側）８ａと他方（凹側）８ｂを接続することによって保護者が装着するが、このとき緩くもきつくもなく丁度良い締め具合になるように、２箇所のアジャスターバックル１０ａで予め調節しておくべきである。
【００５３】
続いて、上部ファスナー４ａ開口部から１対の肩掛けベルト７を引き出し、先端のプラスティックバックルの一方（凸側）８ａを腰ベルト１０の２箇所に取付けられたプラスティックバックルの他方（凹側）８ｂとそれぞれ接続することによって装着するが、このとき丁度良い長さになるように、２本の肩掛けベルト７のアジャスターバックル７ａで予め調節しておくべきである。なお、状況に応じて、図２（ａ）に示されるように２本の肩掛けベルト７を交差させずに装着したり、図２（ｂ）に示されるように２本の肩掛けベルト７を交差させて装着したりする。
【００５４】
こうして実際に保護者と子供が装着した状態を、図３（ａ），（ｂ）を参照して説明する。図３（ａ）に示されるように、子供１６がまだ余り動かない乳児（生後４ヶ月〜１０ヶ月ぐらいまで）の場合には、肩掛けベルト７を背中で交差させてそのまま保護者１５の肩に掛けて装着するのが、最も安定している。しかし、図３（ｂ）に示されるように、子供１６がもう少し大きくなった幼児（生後１０ヶ月〜３才ぐらいまで）の場合には、良く動くようになるので、肩掛けベルト７を背中で交差させ子供１６の脇の下を通してから保護者１５の肩に掛けて装着する方がより安定する。
【００５５】
幼児が歩きたがったら、片手で幼児を支えながら、片手で肩掛けベルト７を２本とも腰ベルト１０から外し、腰ベルト１０も外して、２本の肩掛けベルト７をリュックサック本体２の上部ファスナー４ａ開口から中に収納し、腰ベルト１０及び股布地９をリュックサック本体２の下部ファスナー４ｂ開口から中に収納して、上部ファスナー４ａ及び下部ファスナー４ｂをしっかり閉じれば、幼児は自由に歩くことができる。
【００５６】
このようにして、本実施の形態１の子供用リュックサック１においては、子供も保護者も楽にかつ安定して取付けられるベルト類７，９，１０をリュックサック本体２内に具備して、いつでも必要なときに両手を空けて子供を抱いたり背負ったりすることができ、かつ子供用リュックサック本体２も肩紐３もベルト類７，９，１０も同色のポリエステル生地で製造されているため、保護者のファッション性をも子供のファッション性をも低下させることがない。
【００５７】
また、荷重の掛かる肩掛けベルト７の保護者１５の肩に当る部分、股布地９、リュックサック本体２の子供１６の背中に当る面及び肩紐３の子供１６の肩に当る部分の中にはドミット芯を入れて緩衝作用を持たせてあるので、長時間装着しても保護者も子供も局部が圧迫されて痛くなることがない。
【００５８】
さらに、リュックサック本体２の内部が、上部ファスナー４ａから入れられる部分と下部ファスナー４ｂから入れられる部分とが区分されているので、肩掛けベルト７と腰ベルト１０がリュックサック本体２の内部で絡まったりすることがなく、それぞれ上部ファスナー４ａ開口部と下部ファスナー４ｂ開口部からスムーズに引き出すことができる。また、ベルト類７，９，１０を使用中に上部ファスナー４ａからリュックサック本体２内に物を入れても落ちることがないので、リュックサック本体２を物入れとして使うことができる。
【００５９】
実施の形態２
次に、本発明の実施の形態２について、図４を参照して説明する。図４（ａ）は本発明の実施の形態２にかかる子供用背負い袋を示す背面図、図４（ｂ）〜（ｅ）は本発明の実施の形態２にかかる子供用背負い袋の背面に付けられるポケットの具体例を示す図である。
【００６０】
図４（ａ）に示されるように、本実施の形態２にかかる子供用背負い袋としての子供用リュックサック１１においては、ベルト類７，９，１０のリュックサック本体２への取付け方と装着の仕方は、実施の形態１の子供用リュックサック１と同様である。異なるのは、リュックサック本体２の背面に、ポケット５ａが取付けられている点である。
【００６１】
ベルト類７，９，１０をリュックサック本体２内に収納した状態においては、リュックサック本体２は小物入れとしても使い難いが、このようにポケット５ａを設けることによって、タオル、ハンカチ、ティッシュペーパー、菓子等を入れることができて便利であり、そのままベルト類７，９，１０をリュックサック本体２から取り出して装着し、子供を抱きまたは背負うことができる。また、ポケット５ａにデザインを施せば、ファッション性も向上する。さらに、１対の肩掛けベルト７，股布地９をリュックサック本体２の背面側に縫付けた場合には、縫い跡がポケット５ａで隠れるので見栄えが良くなる。
【００６２】
かかるポケットの変形例として、図４（ｂ）に示されるようにマチを付けて容量を増やしたポケット５ｂ、図４（ｃ）に示されるようにマチとフラップ（蓋）を付けたポケット５ｃ、図４（ｄ）に示されるように２つのポケット５ｄを付けたもの、さらに図４（ｅ）に示されるように大きなフラップを付けて２つのドット釦で止めるポケット５ｅ等がある。
【００６３】
このようにして、本実施の形態２にかかる子供用リュックサック１１においては、子供も保護者も楽にかつ安定して取付けられるベルト類７，９，１０を具備するとともに、小物入れとしても便利でファッション性を向上させることができる。
【００６４】
実施の形態３
次に、本発明の実施の形態３について、図５を参照して説明する。図５は本発明の実施の形態３にかかる子供用背負い袋におけるベルト類の背負い袋本体への取付け方を示す説明図である。
【００６５】
図５に示されるように、本実施の形態３にかかる子供用背負い袋としての子供用リュックサックにおいては、１対の肩掛けベルト７と股布地９及び図示されない腰ベルト１０をリュックサック本体２内に着脱可能に取付けている。即ち、左右２箇所の上部ファスナー４ａの下方にプラスティックバックルの他方（凹側）８ｂが、肩掛けベルト受け縫付け生地２０ａによってリュックサック本体２の背中側の補強布６に縫付けられており、これに肩掛けベルト７の下端に取付けられたプラスティックバックルの一方（凸側）８ａが嵌合することによって、１対の肩掛けベルト７が上部ファスナー４ａの開口部を通してリュックサック本体２内に接続される。
【００６６】
また、下部ファスナー４ｂの中央部上方には、同じくプラスティックバックルの他方（凹側）８ｂが股布地受け縫付け生地２０ｂによって補強布６に縫付けられており、これに股布地９の上端に取付けられたプラスティックバックルの一方（凸側）８ａが嵌合することによって、股布地９及び図示されない腰ベルト１０が下部ファスナー４ｂの開口部を通してリュックサック本体２内に接続される。
【００６７】
このように、肩掛けベルト７及び股布地９とそれにつながる腰ベルト１０をリュックサック本体２内から着脱可能とすることによって、洗濯するときに子供用リュックサック本体２とベルト類７，９，１０とを別々に洗濯することができるので、非常に楽である。また、肩掛けベルト７及び股布地９とそれにつながる腰ベルト１０を全て外してしまえば、リュックサック本体２の中に空間ができるので、普通のリュックサックとして使用することができ、外出時にタオル・ハンカチ・ティッシュペーパー・菓子等を入れて、子供に背負わせて歩かせることができる。
【００６８】
さらに、子供が成長してベルト類が不要になったとき或いはベルト類が不要であるときには、肩掛けベルト７及び股布地９とそれにつながる腰ベルト１０を全て外して、図１に示される１対の肩紐３をドット釦３ｄで外して、左側の本体部分３ａと右側の長さ調節部分３ｂ、右側の本体部分３ａと左側の長さ調節部分３ｂをそれぞれドット釦３ｄで互い違いに取付けてクロスさせれば、１対の肩紐３をリュックサック本体２の上で手に持つことができるので、大人用の小物入れとして使うことができる。このような使い方と肩ベルト７の取付け・取外し易さを考えると、本実施の形態３における上部ファスナー４ａは、図５に示されるような左右分離型でなく、リュックサック本体２の上端の全長に亘る一体型の方が好ましい。
【００６９】
このようにして、本実施の形態３にかかる子供用リュックサックにおいては、子供も保護者も楽にかつ安定して取付けられるベルト類７，９，１０を具備するとともに、洗濯するときに子供用リュックサック本体２とベルト類７，９，１０とを別々に洗濯することができ、またベルト類７，９，１０を全て取外すことによって通常のリュックサックとしても使用することができ、さらに大人用小物入れとしても用いることができる。
【００７０】
実施の形態４
次に、本発明の実施の形態４について、図６及び図７を参照して説明する。図６（ａ）は本発明の実施の形態４にかかる子供用背負い袋における２枚の子供用マントの背負い袋本体への取付け方を示す説明図、（ｂ）は実際に子供が子供用マントを装着した状態を示す斜視図である。図７（ａ）は本発明の実施の形態４にかかる子供用背負い袋における一方の子供用マントの背負い袋本体への取付け方を示す説明図、（ｂ）は実際に子供が子供用マントを装着した状態を示す斜視図である。
【００７１】
図６（ａ）に示されるように、本実施の形態４にかかる子供用背負い袋としての子供用リュックサック３１においては、リュックサック本体２の背面に大き目のポケット２５が取付けられており、このポケット２５の上端に沿ってポケット上部ファスナー２６ａが、またポケット２５の下端に沿ってポケット下部ファスナー２６ｂが、それぞれ開閉自在に取付けられている。ポケット上部ファスナー２６ａを開けたすぐ下の中央部分には、リュックサック本体２の背面側に取付け具としての接着布２８の軟らかい側が縫付けられており、ポケット下部ファスナー２６ｂを開けたすぐ上の中央部分には、やはりリュックサック本体２の背面側に取付け具としての接着布２９の軟らかい側が縫付けられている。
【００７２】
そして、ポケット２５の中には２枚の子供用マント３０，３５が収納されている。そのうち１枚の子供用マント３０は防寒用で、キルティング生地からなり、もう１枚の子供用マント３５は雨避け用で、撥水性のポリエステル生地で作られている。子供用マント３０の上部には裏側に当て布３２が縫付けられており、その中に止め紐３３が通されていて、中間点３３ａにおいて抜けないように縫付けられている。子供用マント３５の上部にも一部図示省略されているが、同様にして止め紐３６が取付けられている。
【００７３】
子供用マント３０の上部の止め紐３３から上は子供の頭部を包む部分３０ａとなっており、ギャザーを入れて頭部の丸みを出しており、頭部を包む部分３０ａの先端には腰のある材料（透明なビニル系樹脂、重ねたレース、メッシュ、レザー等）からなる鍔３０ｂが縫付けられている。同様にして、子供用マント３５の上部にも腰のある材料からなる鍔３５ｂが縫付けられている。そして、子供用マント３０の下端裏側には、直角二等辺三角形の接着布２８の硬い側が縫付けられており、ポケット上部ファスナー２６ａを全開にした状態でポケット２５内のリュックサック本体２側に縫付けられている同一形状の接着布２８の軟らかい側に接着することによって、子供用マント３０がリュックサック本体２に取付けられる。
【００７４】
このようにして取付けられた子供用マント３０（防寒用）を実際に子供に着用させた状態が、図６（ｂ）に示されている。リュックサック本体２から引き出した肩掛けベルト７、股布地９、腰ベルト１０を保護者１５と子供１６が装着した状態で、子供用マント３０の下端をポケット上部ファスナー２６ａ内に接着布２８で接着して、止め紐３３を子供１６の首に掛けて前で蝶結びをして止め、頭部を包む部分３０ａ及び鍔３０ｂは止め紐３３の部分で折り返している。子供用マント３０には相当の弛みができるので、子供１６の上半身の前方まで包むことができる。
【００７５】
次に、子供用マント３５（雨避け用）の取付け方と実際に着用した状態について、図７を参照して説明する。図７（ａ）に示されるように、子供用マント３５の上部にも子供用マント３０と同様に裏側に当て布３７が縫付けられており、その中に止め紐３６が通されていて、中間点３６ａにおいて抜けないように縫付けられている。子供用マント３５の上部の止め紐３６から上は子供の頭部を包む部分３５ａとなっており、ギャザーを入れて頭部の丸みを出しており、頭部を包む部分３５ａの先端には腰のある材料からなる鍔３５ｂが縫付けられている。
【００７６】
そして、子供用マント３５の下端表側には、直角二等辺三角形の接着布２９の硬い側が縫付けられており、ポケット下部ファスナー２６ｂを全開にした状態で子供用マント３５の下端を折って、ポケット２５内のリュックサック本体２側に縫付けられている同一形状の接着布２９の軟らかい側に接着することによって、子供用マント３５がリュックサック本体２に取付けられる。
【００７７】
このようにして取付けられた子供用マント３５（雨避け用）を実際に子供に着用させた状態が、図７（ｂ）に示されている。リュックサック本体２から引き出した肩掛けベルト７、股布地９、腰ベルト１０を保護者１５と子供１６が装着した状態で、子供用マント３５の下端をポケット下部ファスナー２６ｂ内に接着布２９で接着して、止め紐３６を子供１６の首に掛けて前で蝶結びをして止め、頭部を包む部分３５ａ及び鍔３５ｂを子供１６の頭に被せている。子供用マント３５にも相当の弛みができるので、子供１６の上半身の前方まで包むことができる。
【００７８】
保護者１５は両手が自由なので、片手に荷物を持っていてももう一方の手で傘を差すことができ、さらに子供用マント３５を着用させることによって、子供１６を完全に雨から守ることができる。
【００７９】
なお、子供用マント３０，３５のいずれについても、不使用時には接着布２８，２９でリュックサック本体２に取付けた状態のまま畳んでポケット２５内に収納しておいた方が、肩掛けベルト７、股布地９、腰ベルト１０を用いて子供を抱いた状態からでも、ポケット上部ファスナー２６ａまたはポケット下部ファスナー２６ｂを開けて子供用マント３０または３５をポケット２５内から引き出すだけで装着できるので、より好ましい。
【００８０】
このようにして、本実施の形態４の子供用リュックサック３１においては、子供も保護者も楽にかつ安定して取付けられるベルトを具備するとともに、子供に防寒、雨避け、日差し避け等の目的で子供用マントとともに帽子をも被せることができる。
【００８１】
本実施の形態４の子供用リュックサック３１においては、帽子をも一体化した子供用マント３０，３５について説明したが、マント部分のみを装着するようにしても良い。また、目的の異なる２枚の子供用マント３０，３５をポケット２５内に収納した例について説明したが、例えば夏季には防寒用の子供用マント３０を外してしまっておく等、季節に応じて１枚の子供用マントのみをポケット２５内に収納するようにした方がより使い易い。
【００８２】
また、本実施の形態４の子供用リュックサック３１においては、ポケット２５の中に２枚の子供用マント３０，３５を収納した例について説明したが、リュックサック本体２内に収納しても良いし、ポケット２５に袋状のフラップ（蓋）を取付けて、このフラップ内に収納しても良い。さらに、子供用マント３０，３５を１枚ずつ別々に、これらポケット２５，リュックサック本体２，フラップのいずれかに収納することもできる。さらに、ポケット２５やフラップに子供用マント３０，３５を取付け具で取付けることも可能である。
【００８３】
実施の形態５
次に、本発明の実施の形態５について、図８乃至図１２を参照して説明する。図８（ａ）は本発明の実施の形態５にかかる子供用背負い袋においてベルト類を背負い袋本体内へ収納した状態を示す背面図、（ｂ）は肩紐の一方を分離した状態を示した正面図である。図９（ａ）は本発明の実施の形態５にかかる子供用背負い袋においてベルト類の背負い袋本体への取付け方を示す説明図、（ｂ）は子供を左右の脇にずらして抱けるようにした股布地と腰ベルトの構造を示す部分拡大図である。
【００８４】
図１０（ａ）は本発明の実施の形態５にかかる子供用背負い袋において上部開閉具を開いたところを示す図、（ｂ）は下部開閉具を開いたところを示す図である。図１１（ａ）〜（ｅ）は本発明の実施の形態５にかかる子供用背負い袋において上部開閉具及び下部開閉具の取付け方の変形例を示す概略図である。図１２（ａ）〜（ｉ）は本発明の実施の形態５にかかる子供用背負い袋の背中側に付けるポケットの様々な変形例を示す概略図である。
【００８５】
図８（ａ）に示されるように、本実施の形態５にかかる子供用背負い袋としての子供用リュックサック４１は、上記実施の形態１〜４の子供用リュックサック１，１１，２１，３１と異なり、デニム生地からなる背負い袋本体としてのリュックサック本体４２が円形に近い形状を有するとともにマチもより厚くなり、リュックサック本体４２内の容積が大きくなっている。そして、リュックサック本体４２の周囲のマチには、上半分に上部開閉具としての上部ファスナー４４、下半分に下部開閉具としての下部ファスナー４５が取付けられており、各々２個ずつのスライダー４４ａ，４５ａが付いているので、上部ファスナー４４、下部ファスナー４５の範囲内でどのようにも開閉することができる。
【００８６】
上部ファスナー４４と下部ファスナー４５の間には左右２箇所に当て布４９が縫付けられており、この当て布４９にはループ布４７ａを介してプラスティック製のＤカン４７がそれぞれ取付けられている。これら左右１対のＤカン４７は、子供用リュックサック４１を子供用背負い袋として使用する場合には用いられない。Ｄカン４７の用い方については、後述する。
【００８７】
また、子供用リュックサック４１の背面側には、デニム生地からなる２個の小ポケット４６が設けられており、これらの小ポケット４６にはフラップ（蓋）４６ａが取付けられて、ドット釦凸側４６ｂを図示されないドット釦凹側に嵌めることによって、フラップ４６ａを留めることができる。
【００８８】
さらに、図８（ｂ）に示されるように、子供用リュックサック４１を子供に背負わせるためのデニム生地からなる１対の肩紐４３は、上部紐４３ａと下部紐４３ｂに分離できるようになっている。即ち、上部紐４３ａの裏側には接続具としてのプラスティックバックルの他方（凹側）８ｂが取付け布４８によって取付けられ、下部紐４３ｂの先端には接続具としてのプラスティックバックルの一方（凸側）８ａが取付けられており、これらを接続することによって肩紐４３となる。
【００８９】
次に、子供用リュックサック４１を用いて子供を抱いたり背負ったりする手順について、図９を参照して説明する。リュックサック本体４２の内部は、上部ファスナー４４を開けて収納する部分と下部ファスナー４５を開けて収納する部分とが区分されていて、下部ファスナー４５を開けて収納する部分にベルト類としてのデニム生地からなる１対の肩掛けベルト５２，股布地５０，腰ベルト５１が収納されている。図９（ａ）に示されるように、これら１対の肩掛けベルト５２，股布地５０，腰ベルト５１は全て接続されて一体となっている。
【００９０】
即ち、股布地５０は一端にプラスティックバックルの一方（凸側）８ａが取付けられており、他端は腰ベルト５１の中間付近に縫付けられている。腰ベルト５１の両端にはプラスティックバックルの一方（凸側）８ａ及び他方（凹側）８ｂが取付けられており、それぞれの近傍には長さ調節機構としてのアジャスターバックル５１ａが取付けられている。そして、その近傍には、プラスティック製のバックル５３が取付け布５４によってそれぞれ取付けられ、バックル５３には肩掛けベルト５２がそれぞれ取付けられている。
【００９１】
肩掛けベルト５２のバックル５３側にも長さ調節機構としてのアジャスターバックル５２ａが取付けられ、先端にはプラスティックバックルの一方（凸側）８ａが取付けられている。そして、肩掛けベルト５２の保護者の肩に当る部分は幅が広くなっていて、中には緩衝材としてのドミット芯が入れられている。同様に、股布地５０，上部紐４３ａ，リュックサック本体４２の背中側（図９（ａ）において手前側）にも、中には緩衝材としてのドミット芯が入れられている。
【００９２】
このように一体となった１対の肩掛けベルト５２，股布地５０，腰ベルト５１を装着するには、まず下部ファスナー４５を開けてこれらベルト類５０，５１，５２を取り出し、股布地５０の先端のプラスティックバックルの一方（凸側）８ａをリュックサック本体４２の背中側に取付け布４８で縫付けられているプラスティックバックルの他方（凹側）８ｂに接続する。次に、股布地５０を子供の股下を通して、腰ベルト５１を保護者の腰回りに長さを調節して装着する。そして、１対の肩紐４３を上部紐４３ａと下部紐４３ｂに分離し、上部紐４３ａのプラスティックバックルの他方（凹側）８ｂに肩掛けベルト５２先端のプラスティックバックルの一方（凸側）８ａを接続して、上部紐４３ａ部分を子供の肩に掛け直してから長さを調節して肩掛けベルト５２部分を保護者の肩に掛ける。
【００９３】
このようにして、本実施の形態５の子供用リュックサック４１においては、子供も保護者も楽にかつ安定して取付けられる一体のベルト類５０，５１，５２をリュックサック本体４２内に具備して、いつでも必要なときに両手を空けて子供を抱いたり背負ったりすることができ、かつ子供用リュックサック本体４２も肩紐４３もベルト類５０，５１，５２もデニム生地で製造されているため、保護者のファッション性をも子供のファッション性をも低下させることがない。
【００９４】
また、荷重の掛かる肩掛けベルト５２の保護者の肩に当る部分、股布地５０、リュックサック本体４２の子供の背中に当る面及び肩紐４３の子供の肩に当る部分の中にはドミット芯を入れて緩衝作用を持たせてあるので、長時間装着しても保護者も子供も局部が圧迫されて痛くなることがない。
【００９５】
さらに、リュックサック本体４２の内部が、上部ファスナー４４から入れられる部分と下部ファスナー４５から入れられる部分とが区分されているので、ベルト類５０，５１，５２を使用中に上部ファスナー４４からリュックサック本体４２内に物を入れても落ちることがないので、リュックサック本体４２を物入れとして使うことができる。
【００９６】
また、本実施の形態５の子供用リュックサック４１の変形例として、図９（ｂ）に示されるように、腰ベルト５１が貫通する筒状部分５０ｂを設けた股布地５０ａを用いることによって、抱いたり背負ったりした子供を左右の脇までの間で保護者の好きな位置に移動させることができる。
【００９７】
次に、リュックサック本体４２の内部構造について、図１０を参照して説明する。図１０（ａ）に示されるように、上部ファスナー４４をほぼ全開にした状態において、リュックサック本体４２内部は中間で区分布４２ａによって２つに区分されており、上部ファスナー４４を開けた部分には何も入っていないので、物入れとして用いることができる。一方、図１０（ｂ）に示されるように、下部ファスナー４５をほぼ全開にすると、内部には股布地５０を接続するためのプラスティックバックルの他方（凹側）８ｂが取付け布４８で縫付けられており、さらに図示しないベルト類５０，５１，５２が収納されている。
【００９８】
上述したように、ベルト類５０，５１，５２の装着時においては下部ファスナー４５がほぼ全開にされるが、リュックサック本体４２内部は区分布４２ａで区分されているので、上部ファスナー４４を開けて物を入れても下から落ちることはない。このように、本実施の形態５の子供用リュックサック４１においては、背面の２つの小ポケット４６にも小物を入れることができ、リュックサック本体４２内にも物を入れることができるので、非常に便利である。
【００９９】
次に、リュックサック本体への開閉具としてのファスナーの取付け方の変形例について、図１１を参照して説明する。図１１（ａ）に示されるように、子供用リュックサック５５においては、下部に１つだけファスナー５５ａを取付けて、２個のスライダー５５ｂを設けている。本実施の形態５の子供用リュックサック４１においては、図１０に示されるように、保護者の肩掛けベルト５２の上部となる上部紐４３ａがリュックサック本体４２に既に取付けられているので、上部からベルト類を取り出す必要がないため、その変形例としての子供用リュックサック５５においては上部にファスナーを設けていない。
【０１００】
図１１（ｂ）に示されるように、子供用リュックサック５６においては、上部ファスナー５６ａ（スライダー５６ｂは１個）と下部ファスナー５６ｃ（スライダー５６ｄは２個）を設けている。上部ファスナー５６ａは物を出し入れするための開閉具であり、下部ファスナー５６ｃはベルト類を出し入れするための開閉具である。また、図１１（ｃ）に示されるように、子供用リュックサック５７においては、左右に２つの上部ファスナー５７ａ（スライダー５７ｂは各１個）を設け、図１１（ｂ）と同様に下部ファスナー５７ｃ（スライダー５７ｄは２個）を設けている。この場合も、上部ファスナー５７ａは物を出し入れするためのもので、下部ファスナー５７ｃはベルト類を出し入れするためのものである。
【０１０１】
さらに、図１１（ｄ）に示されるように、子供用リュックサック５８においては、リュックサック本体を一周するファスナー５８ａを取付けており、２個のスライダー５８ｂを設けている。したがって、２個のスライダー５８ｂを自由に移動させて、リュックサック本体の全周のどの部分でも開くことができる。そして、図１１（ｅ）に示されるのは、本実施の形態５の子供用リュックサック４１であり、上部ファスナー４４（スライダー４４ａは２個）と下部ファスナー４５（スライダー４５ａは２個）とが設けられている。これら以外にも、種々の数のファスナーとその取付け方があり、ここに示した例に限定されるものではない。
【０１０２】
次に、リュックサック本体背面に取付けられるポケット類の各種変形例について、図１２を参照して説明する。なお、図１２（ａ）〜（ｉ）にはマチ付きのポケットもマチなしのポケットもあるが、マチ付きのものをマチなしにしても、マチなしのポケットにマチを付けても構わない。
【０１０３】
図１２（ａ）に示されるように、子供用リュックサック６０においては、リュックサック本体背面にファスナー６０ａが斜めに取付けられており、スライダー６０ｂでファスナー６０ａを開けると上部ポケット６０ｃと下部ポケット６０ｄにそれぞれ物を入れられるようになっている。また、図１２（ｂ）に示されるように、子供用リュックサック６１においては、ファスナー付きポケットが二重に設けられており、スライダー６１ｂでファスナー６１ａを開けると上部ポケット６０ｃに物を入れることができ、さらに１対のファスナー６１ｄをスライダー６１ｅで開けると、２つの小ポケット６１ｆに物を入れられる。さらに、図１２（ｃ）に示されるように、子供用リュックサック６２においては、縦に取付けられたファスナー６２ａをスライダー６２ｂで開けると、横向きのマチ付きポケット６２ｃに物が入れられる。
【０１０４】
さらに、図１２（ｄ）に示されるように、子供用リュックサック６３においては、半円形に設けられたファスナー６３ａを２個のスライダー６３ｂで開けることによって、マチ付きのポケット６３ｃ内に右からでも左からでも物を入れられる。また、図１２（ｅ）に示されるように、子供用リュックサック６４においては、２つのファスナー６４ａ付き（スライダー６４ｂ各１個付き）変形ポケット６４ｃが設けられている。そして、図１２（ｆ）に示されるのが本実施の形態５の子供用リュックサック４１であり、マチ付きの２個の小ポケット４６が設けられフラップ（蓋）４６ａが取付けられて、ドット釦凸側４６ｂを図示されないドット釦凹側に嵌めることによって、フラップ４６ａを留めることができる。
【０１０５】
さらに、図１２（ｇ）に示されるように、子供用リュックサック６５は、ファスナー６５ａをスライダー６５ｂで開けることによって、マチ付きポケット６５ｃ内に物を入れられる。また、図１２（ｈ）に示されるように、子供用リュックサック６６は、子供用リュックサック６５と同じマチ付きポケット６５ｃの上にボタンホール６６ｃ付きフラップ６６ａを取付け、マチ付きポケット６５ｃの上方に縫付けられたボタン６６ｂを留めることでファスナー６５ａを隠している。さらに、図１２（ｉ）に示されるように、子供用リュックサック６７においては、子供用リュックサック４１の応用として、マチ付きの２個の小ポケット６７ｃが設けられフラップ６７ａが取付けられて、ドット釦の代わりに１組の接着布６７ｂを用いることによって、フラップ６７ａを留めることができる。
【０１０６】
実施の形態６
次に、本発明の実施の形態６について、図１３乃至図１５を参照して説明する。図１３は実施の形態５の子供用リュックサック４１の上部ファスナー内に接着布を取付けて２種類の子供用マントを追加しただけの本発明の実施の形態６にかかる子供用リュックサックの上部ファスナーを開けて２種類の子供用マントを取付けた状態を示す図である。図１４は背面に中ポケットを追加しただけの本発明の実施の形態６にかかる子供用リュックサックの変形例の上部ファスナーと中ポケットのポケット下部ファスナーを開けて２種類の子供用マントを取付けた状態を示す図である。
【０１０７】
図１５は本発明の実施の形態６にかかる子供用リュックサックにおいて図１３の取付け方で実際に子供が２種類の子供用マントを装着した状態を示す斜視図である。なお、実施の形態５と同一の部分には同一の符号を付して説明を省略する。
【０１０８】
図１３に示されるように、本実施の形態６にかかる子供用リュックサック７０は、上部ファスナー４４を開けた内側の上端部分にそれぞれ接着布７２，７３の軟らかい側が縫付けられており、フリース生地を使用した防寒用の子供用マント７４の下端裏側に縫付けられた接着布７２の硬い側が接着されることによって、子供用マント７４がリュックサック本体４２に取付けられる。また、撥水性のポリエステル生地を使用した防水用の子供用マント７７の下端表側に縫付けられた接着布７３の硬い側が接着されることによって、子供用マント７７がリュックサック本体４２に取付けられる。
【０１０９】
子供用マント７４の上部には裏側に当て布７６が縫付けられており、その中に止め紐７５が通されていて、中間点７５ａにおいて抜けないように縫付けられている。子供用マント７７（図には裏側が示されている）の上部（図では下方）にも裏側に当て布７９が縫付けられており、その中に止め紐７８が通されていて、中間点７８ａにおいて抜けないように縫付けられている。
【０１１０】
さらに、子供用マント７４の上部の止め紐７５から上は子供の頭部を包む部分７４ａとなっており、ギャザーを入れて頭部の丸みを出しており、頭部を包む部分７４ａの先端には腰のある材料（透明なビニル系樹脂、重ねたレース、メッシュ、レザー等）からなる鍔７４ｂが縫付けられている。同様にして、子供用マント７７の上部の止め紐７９から上は子供の頭部を包む部分７７ａとなっており、ギャザーを入れて頭部の丸みを出しており、頭部を包む部分７７ａの先端には腰のある材料からなる鍔７７ｂが縫付けられている。
【０１１１】
次に、本実施の形態６にかかる子供用リュックサック７０の変形例である子供用リュックサック７１について、図１４を参照して説明する。図１４に示されるように、本実施の形態６の変形例にかかる子供用リュックサック７１は、子供用リュックサック７０のリュックサック本体４２と２個の小ポケット４６の間に、マチ付きの中ポケット７１ａが設けられた構造をしている。この中ポケット７１ａにはポケット下部ファスナー８１が設けられており、スライダー８１ａで開けた下端部中央には接着布８０の軟らかい側が縫付けられている。
【０１１２】
上部ファスナー４４を開けた内側の上端部分には、接着布７２の軟らかい側が縫付けられており、フリース生地を使用した防寒用の子供用マント７４の下端裏側に縫付けられた接着布７２の硬い側が接着されることによって、子供用マント７４がリュックサック本体４２に取付けられる。また、撥水性のポリエステル生地を使用した防水用の子供用マント７７の下端表側に縫付けられた接着布８０の硬い側が先端を折り返して接着されることによって、子供用マント７７がリュックサック本体４２に取付けられる。子供用マント７４，７７のその他の部分の構造については図１３と同様なので、同一の符号を付して説明を省略する。
【０１１３】
図１３に示されるようにして取付けられた子供用マント７４（防寒用）及び子供用マント７７（雨避け用）を実際に子供に着用させた状態が、図１５に示されている。リュックサック本体４２から引き出した肩掛けベルト５２、股布地５０、腰ベルト５１を保護者１５と子供１６が装着した状態で、子供用マント７４，７７の下端をポケット上部ファスナー４４内に接着布７２，７３で接着して、止め紐７５，７８を子供１６の首に掛けて前で蝶結びをして止め、頭部を包む部分７４ａ，７７ａ及び鍔７４ｂ，７７ｂを子供１６の頭に被せている。
【０１１４】
このようにして、２種類の子供用マント７４，７７を重ねて子供１６に着用させることによって、冬季の雨や雪の場合に防寒と防水の２つの役割をさせることができる。さらに、保護者１５は両手が自由なので、片手に荷物を持っていてももう一方の手で傘を差すことができ、さらに子供用マント７７を着用させることによって、子供１６を完全に雨や雪から守ることができる。
【０１１５】
なお、本実施の形態６にかかる子供用リュックサック７０及びその変形例の子供用リュックサック７１においては、このように２種類の子供用マント７４，７７を重ねて着用させる場合に限らず、天候に応じてどちらか１枚を着用させることもできる。また、子供用マント７４，７７が必要ない場合には、リュックサック本体４２内或いは中ポケット７１ａ内から取り出しておけば、物入れとして利用できるので便利である。
【０１１６】
このようにして、本実施の形態６の子供用リュックサック７０，７１においては、子供も保護者も楽にかつ安定して取付けられるベルト類を具備するとともに、子供に防寒、雨避け、日差し避け等の目的で子供用マントとともに帽子をも被せることができる。
【０１１７】
実施の形態７
次に、本発明の実施の形態７について、図１６乃至図１８を参照して説明する。図１６（ａ），（ｂ），（ｃ）は実施の形態５の子供用リュックサック４１をそのまま、（ｄ）は改良を加えて大人用バッグとして持ち歩く方法を示す説明図である。図１７（ａ），（ｂ），（ｃ）は実施の形態５の子供用リュックサック４１を大人用ショルダーバッグ或いはウエストポーチとして利用する方法を示す説明図である。図１８（ａ），（ｂ）は実施の形態５の子供用リュックサック４１を大人用リュックサックとして利用する方法を示す説明図である。
【０１１８】
本実施の形態７にかかる子供用リュックサックは、いずれも子供が成長してもう子供用リュックサックとしては使用しなくなった場合、或いは子供用リュックサックとしては使用しないときに、子供用リュックサックを大人用のバッグ等に利用するものである。
【０１１９】
まず、図１６に示されるように、実施の形態５の子供用リュックサック４１を大人用手提げバッグとして利用するには、下部ファスナー４５を開けて収納されているベルト類５０，５１，５２を取り出して下部ファスナー４５を閉め、図１６（ａ）に示されるように１対の肩紐４３の上部紐４３ａをまとめて持ち歩くこともできる。大人用手提げバッグとしては、主として上部ファスナー４４を開閉して物を出し入れするが、下部ファスナー４５を開閉して物を出し入れすることもできる。
【０１２０】
また、図１６（ｂ）に示されるように、上部紐４３ａと下部紐４３ｂを一旦分離して、交差させて接続して持ち手とすることもできる。さらに、図１６（ｃ）に示されるように、単に交差させるだけではなく、一方の上部紐４３ａを１回ねじって交差させて、このねじり部分を持つこともできる。以上の実施の形態においては、実施の形態５の子供用リュックサック４１をそのまま用いているが、図１６（ｄ）に示される子供用リュックサック８５においては、上部ファスナー４４を挟むマチの部分の布に別布で１対の取っ手８６を縫付けて、この１対の取っ手８６を持つようにしても良い。
【０１２１】
なお、子供用リュックサック８５のように、１対の肩紐４３を使用しない場合には、１対の上部紐４３ａを上部ファスナー４４内に収納し、１対の下部紐４３ｂを下部ファスナー４５内に収納した方が、大人用バッグとして持ち歩くとき１対の肩紐４３を外にぶら下げておくより見栄えが良い。
【０１２２】
次に、実施の形態５の子供用リュックサック４１をショルダーバッグまたはウエストポーチとして用いる場合について、図１７を参照して説明する。図１７（ａ）に示されるように、この場合には１本のデニム生地からなるベルト８７を用いる。このベルト８７には長さ調節機構としてのプラスティック製のバックル８８が設けられ、両端にはプラスティック製のナスカン８９が取付けられている。
【０１２３】
そして、図１７（ｂ）に示されるように、実施の形態５の子供用リュックサック４１の両側端には、実施の形態５で説明したように、また図１７（ｃ）に示されるように、当て布４９が縫付けられており、この当て布４９にはループ布４７ａを介してプラスティック製のＤカン４７がそれぞれ取付けられている。図１７（ｂ）に示されるように、これらのＤカン４７にベルト８７の両端のナスカン８９を取付けて、ベルト８７の長さを調節して肩に掛ければショルダーバッグとして利用できる。また、想像線で示されるように、ベルト８７の長さを調節して腰に巻けばウエストポーチとして用いることができる。
【０１２４】
次に、実施の形態５の子供用リュックサック４１を大人用リュックサックとして用いる場合について、図１８を参照して説明する。図１８（ａ）に示されるように、この場合には２本のデニム生地からなる延長ベルト９０を用いる。この延長ベルト９０には長さ調節機構としてのプラスティック製のバックル９１が設けられ、両端には接続具としてのプラスティックバックルの一方（凸側）８ａ及び他方（凹側）８ｂが取付けられている。
【０１２５】
そして、図１８（ｂ）に示されるように、子供用リュックサック４１の肩紐４３を上部紐４３ａと下部紐４３ｂに分離して、延長ベルト９０の一端のプラスティックバックルの一方（凸側）８ａを上部紐４３ａのプラスティックバックルの他方（凹側）８ｂに接続し、延長ベルト９０の他端のプラスティックバックルの他方（凹側）８ｂを下部紐４３ｂのプラスティックバックルの一方（凸側）８ａに接続する。これによって、１対の肩紐４３が延長され、大人でも背負うことができるリュックサックとなる。
【０１２６】
このようにして、元の子供用リュックサック４１に戻して用いることが可能な状態で、大人用手提げバッグ、大人用ショルダーバッグ或いはウエストポーチ、大人用リュックサックとして利用することができ、応用範囲が広く使い回しの効く子供用リュックサックとなる。
【０１２７】
上記各実施の形態においては、本発明の子供用背負い袋として子供用リュックサックを例にして説明したが、本発明の子供用背負い袋としては、他にも子供用ポシェット、子供用バッグ等、様々な形態を採ることができる。
【０１２８】
また、上記各実施の形態においては、背負い袋本体の上部開閉具及び下部開閉具としてファスナーを用いた場合について説明したが、開閉具としては他にもスナップボタン、ボタン、接着布等を使用することができる。
【０１２９】
さらに、上記各実施の形態においては、本発明の子供用背負い袋を子供を抱く場合に使用する例についてのみ説明したが、子供を背負う場合に使用することもできる。
【０１３０】
また、上記各実施の形態においては、撥水性のポリエステル生地或いはデニム生地でリュックサック本体、肩紐、ベルト類を統一した例について説明したが、リュックサック本体等に用いる生地はポリエステル生地或いはデニム生地に限られるものではなく、また必ずしも全体を同一生地で統一しなくても、ファッション性を損なわない範囲内で好みに応じて様々なコーディネートの仕方がある。
【０１３１】
子供用背負い袋のその他の部分の構造、形状、数量、材質、大きさ、接続関係等についても、上記各実施の形態に限定されるものではない。
【０１３２】
ところで、最もシンプルな子供用背負い袋は、背負い袋本体２，２２，４２内部に左右１対で取付けられた先端に一方の接続具８ａまたは８ｂを有する長さ調節機構７ａ，１０ａ，５１ａ，５２ａ付きの肩掛けベルト７，５２と、前記背負い袋本体２，２２，４２内部に取付けられた子供の股を支える所定長さの股布地９，５０と、股布地９，５０の端部付近に中央部分が取付けられ、両端に１組の接続具８ａ，８ｂの一方と他方のそれぞれを有し、前記肩掛けベルト７，５２の先端の接続具８ａの一方に対応する位置に前記接続具８ｂの他方がそれぞれ取付けられた長さ調節機構７ａ，１０ａ，５１ａ，５２ａ付きの腰ベルト１０，５１を具備し、不使用時に前記肩掛けベルト７，５２及び前記腰ベルト１０，５１及び前記股布地９，５０は、前記背負い袋本体２，２２，４２内へ収納しておくものである。
【０１３３】
このように構成された子供用背負い袋において、保護者１５が子供１６を抱いたり背負ったりするときには、まず、１対の肩紐３，４３を長さ調節機構７ａ，１０ａ，５１ａ，５２ａで調節して、子供１６と背負い袋本体２，２２，４２がより密着するようにする。次に、背負い袋本体２，２２，４２の肩掛けベルト７，５２と股布地９，５０及び腰ベルト１０，５１とをそれぞれ引き出し、股布地９，５０を子供の股下を通してから腰ベルト１０，５１を保護者１５の腰回りに回して両端の接続具８ａ，８ｂを接続し、腰ベルト１０，５１を保護者１５の腰回りに装着する。それから、長さ調節機構７ａ，１０ａ，５１ａ，５２ａによって腰ベルト１０，５１の長さを保護者１５の腰回りに合わせて調節する。なお、この作業は出かける前に予めやっておく方がより好ましい。
【０１３４】
続いて、１対の肩掛けベルト７，５２を子供の両脇の下を通して保護者１５の肩に掛け、肩掛けベルト７，５２の先端の接続具８ａ，８ｂの一方を腰ベルト１０，５１に設けられた接続具８ａ，８ｂの他方に接続して、長さ調節機構７ａ，１０ａ，５１ａ，５２ａによって肩掛けベルト７，５２の長さを調節するが、この作業も出かける前に予めやっておく方がより好ましい。
【０１３５】
こうして、子供１６を抱いたり背負ったりすることができるが、子供１６が背負った背負い袋本体２，２２，４２から肩掛けベルト７，５２が出るので、子供１６と保護者１５の間に余裕があり、装着し易い。また、子供１６の股下を支える股布地９，５０を取付けたので子供１６が楽に座ることができ、子供１６と保護者１５を支えるための腰ベルト１０，５１を設けたので双方とも楽である。さらに、肩掛けベルト７，５２を子供１６の脇の下を通して保護者１５の肩に掛けるので、子供１６の上半身も安定する。そして、外観的には子供１６が背中に背負い袋を背負った状態であり、さらに不使用時にはベルト類は全て背負い袋本体２，２２，４２の中に収容されるので、保護者１５のファッション性も子供１６のファッション性も損なわれることがない。
【０１３６】
このようにして、いつでも必要なときに両手を空けて子供を抱いたり背負ったりすることができ、かつ、保護者のファッション性をも子供のファッション性をも低下させることのない子供用背負い袋となる。
【０１３７】
【発明の効果】
以上説明したように、請求項１にかかる子供用背負い袋は、背負い袋本体内部に左右１対で取付けられた先端に一方の接続具を有する長さ調節機構付きの肩掛けベルトと、前記背負い袋本体内部に取付けられた子供の股を支える所定長さの股布地と、該股布地の端部付近に中央部分が取付けられ、両端に１組の接続具の一方と他方のそれぞれを有し、前記肩掛けベルトの先端の接続具の一方に対応する位置に前記接続具の他方がそれぞれ取付けられた長さ調節機構付きの腰ベルトとを具備し、不使用時に前記肩掛けベルト及び前記腰ベルト及び前記股布地は、前記背負い袋本体内へ収納しておくものである。
【０１３８】
したがって、保護者が子供を抱いたり背負ったりするときには、まず１対の肩紐を長さ調節機構で調節して、子供と背負い袋本体がより密着するようにする。次に、背負い袋本体の肩掛けベルトと股布地及び腰ベルトとをそれぞれ引き出し、股布地を子供の股下を通してから腰ベルトを保護者の腰回りに回して両端の接続具を接続し、腰ベルトを保護者の腰回りに装着する。それから、長さ調節機構によって腰ベルトの長さを保護者の腰回りに合わせて調節する。続いて、１対の肩掛けベルトを子供の両脇の下を通して保護者の肩に掛け、肩掛けベルトの先端の接続具の一方を腰ベルトに設けられた接続具の他方に接続して、長さ調節機構によって肩掛けベルトの長さを調節する。
【０１３９】
こうして、子供を抱いたり背負ったりすることができるが、子供が背負った背負い袋本体から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中に背負い袋を背負った状態であり、さらに不使用時にはベルト類は全て背負い袋本体の中に収容されるので、保護者のファッション性も子供のファッション性も損なわれることがない。
【０１４０】
このようにして、いつでも必要なときに両手を空けて子供を抱いたり背負ったりすることができ、かつ、保護者のファッション性をも子供のファッション性をも低下させることのない子供用背負い袋となる。
【０１４１】
請求項２の発明にかかる子供用背負い袋は、背負い袋本体の上端に沿って左右２箇所または全長に亘る上部開閉具と、背負い袋本体の下端に沿った下部開閉具と、上部開閉具近傍に左右１対で取付けられた先端に接続具の一方を有する肩掛けベルトと、下部開閉具近傍に取付けられた子供の股を支える所定長さの股布地と、股布地の先端に中央部分が取付けられ、両端に１組の接続具の一方と他方それぞれを有し肩掛けベルトの先端の接続具の一方に対応する位置に接続具の他方がそれぞれ取付けられた腰ベルトと、子供が背負い袋本体を背負うための１対の肩紐とを具備するものである。
【０１４２】
このように構成された子供用背負い袋において、保護者が子供を抱いたり背負ったりするときには、背負い袋本体の上部開閉具と下部開閉具を全開にして肩掛けベルトと股布地及び腰ベルトとをそれぞれ上下から引き出し、股布地を子供の股下を通してから腰ベルトを保護者の腰回りに回して両端の接続具を接続し、腰ベルトの長さを保護者の腰回りに合わせて調節する。続いて、１対の肩掛けベルトを子供の両脇の下を通して保護者の肩に掛け、肩掛けベルトの先端の接続具の一方を腰ベルトに設けられた接続具の他方に接続して、肩掛けベルトの長さを調節する。
【０１４３】
こうして、子供を抱いたり背負ったりすることができるが、子供が背負った背負い袋本体の上部から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中に背負い袋を背負った状態であり、不使用時にはベルト類は全て背負い袋本体の中に収容されるので、保護者も子供もファッション性が損なわれることがない。
【０１４４】
請求項３の発明にかかる子供用背負い袋は、請求項２の構成において、肩紐は接続具の他方が取付けられた上部紐と接続具の一方が取付けられた下部紐とが接続されてなり、肩掛けベルトは腰ベルトの所定位置に接続されて反対側の先端には接続具の一方が取付けられており、使用時には上部紐と下部紐とが分離されて、上部紐の接続具の他方に肩掛けベルトの先端の接続具の一方が接続されるものである。
【０１４５】
これによって、肩掛けベルト，股布地及び腰ベルトは一体となり、背負い袋本体の下部開閉具を開けたところに収納されるので、背負い袋本体の上部開閉具を開けた部分に物を入れることができる。さらに、子供用背負い袋として使わない場合には、両端に接続具の一方と他方をそれぞれ取付けた延長ベルトを１対用意して、１対の肩紐を分離して上部紐と下部紐との間に延長ベルトを接続して肩紐を長くすれば大人用背負い袋となり、内部のベルト類を取り出せば充分に物を入れて用いることができる。
【０１４６】
請求項４の発明にかかる子供用背負い袋は、請求項２または請求項３の構成において、肩掛けベルト及び／または股布地及び／または上部紐と下部紐が着脱可能に背負い袋本体内に取付けられているものである。
【０１４７】
肩掛けベルトまたは股布地とそれに繋がる腰ベルト、またはその両方、または肩紐を構成する上部紐と下部紐を背負い袋本体から着脱可能とすることによって、洗濯するときに背負い袋本体とベルト類とを別々に洗濯することができるので、非常に楽である。また、肩掛けベルト及び股布地とそれに繋がる腰ベルトを全て外してしまえば、背負い袋本体内に空間ができるので、普通の背負い袋として使用することができ、外出時にタオル・ハンカチ・ティッシュペーパー等を入れて、子供に背負わせて歩かせることができる。
【０１４８】
請求項５の発明にかかる子供用背負い袋は、請求項１乃至請求項４のいずれか１つの構成において、前記背負い袋本体の背面に１または２以上のポケットを取付けたものである。
【０１４９】
このように背面にポケットを取付けることによって、ちょっとした小物（ハンカチ、ティッシュペーパー、菓子等）を入れることができて便利であり、ポケットにデザインを施せばファッション性も向上する。さらに、１対の肩掛けベルト及び股布地を背負い袋本体の背面側に縫付けた場合には、縫い跡がポケットで隠れるので見栄えが良くなる。
【０１５０】
請求項６の発明にかかる子供用背負い袋は、請求項１乃至請求項５のいずれか１つの構成において、背負い袋本体内において、肩掛けベルトの収納部分と腰ベルト及び股布地の収納部分が区分されているものある。
【０１５１】
このように背負い袋本体内の上部開閉具から入れる部分と下部開閉具から入れる部分が区分されていれば、肩掛けベルトと腰ベルトが絡まることもなくスムーズに別々に引き出すことができ、また開いている上部開閉具から空の背負い袋本体内に物を入れても落ちる心配はない。
【０１５２】
請求項７の発明にかかる子供用背負い袋は、請求項１乃至請求項６のいずれか１つの構成において、肩紐、肩掛けベルト、腰ベルト及び股布地は背負い袋本体と同一の生地で作られているものである。
【０１５３】
これによって、肩紐、肩掛けベルト、股布地及び腰ベルトの使用中も背負い袋本体と一体化して見られるため、子供のファッション性を損なうことがない。さらに、子供服や保護者の着る服も背負い袋本体の生地に合わせてコーディネートすれば、子供のファッション性も向上し、保護者のファッション性も損なうことがない。
【０１５４】
請求項８の発明にかかる子供用背負い袋は、請求項１乃至請求項７のいずれか１つの構成において、１対の肩掛けベルトの保護者の肩に当る部分、股布地、背負い袋本体の子供の背中に当る面及び肩紐の子供の肩に当る部分の中に緩衝材を入れたものである。
【０１５５】
これらの部分には荷重が掛かるため、中にドミット芯やウレタンフォーム等の緩衝材を入れることによって当りを柔らかくして局部的に圧迫されることがないようにしたものである。
【０１５６】
請求項９の発明にかかる子供用背負い袋は、請求項１乃至請求項８のいずれか１つの構成において、背負い袋本体内またはポケット内またはポケットに取付けた袋状のフラップ（蓋）には子供用マントが収納されており、着用時には子供用マントを取り出し、下端部に取付けられている取付け具の一方を背負い袋本体またはポケットまたはフラップに取付けられている取付け具の他方に取付け、子供用マントを子供に被せて上部に取付けられている止め紐を子供の首に掛けて前で結んで止めるものである。
【０１５７】
これによって、抱いたり背負ったりした子供に防寒、雨避け等の目的で子供用マントを被せることができ、より一層便利な子供用背負い袋となる。
【０１５８】
請求項１０の発明にかかる子供用背負い袋は、請求項９の構成において、子供用マントは止め紐よりさらに上方に伸びて子供の頭部を包む形状を成し、先端には鍔が取付けられて帽子と一体化しているものである。
【０１５９】
これによって、抱いたり背負ったりした子供に防寒、雨避け等の目的で子供用マントを被せることができるとともに、帽子も被せることができ、防寒、雨避け、日差し避け等の役割を果たして、より一層便利な子供用背負い袋となる。
【０１６０】
請求項１１の発明にかかる子供用背負い袋は、請求項９または請求項１０の構成において、背負い袋本体またはポケット内またはフラップ内には２枚の子供用マントが収納されており、うち１枚は防寒用の生地からなり、もう１枚は防水用の生地からなるもので、２枚重ねて同時に使用し、または気候に応じて使い分けるものである。
【０１６１】
これによって、冬季等の防寒のためには防寒用の生地からなる子供用マントを取り出して装着することができ、雨天時の雨避けや日差しの強い日の日差し避けには防水用の生地からなる子供用マントを取り出して装着することができるので、子供用マントの使用目的に応じて最適な生地のマントを使い分けることができる。また、冬季の雨や雪のときのように防寒と防水が同時に必要な場合は、防寒用の生地からなる子供用マントを内側にして２枚重ねて同時に使用することも可能であり、より実用的な子供用背負い袋となる。
【図面の簡単な説明】
【図１】図１は本発明の実施の形態１にかかる子供用背負い袋のベルト類を背負い袋本体の中に収納して上部開閉具及び下部開閉具を閉じた状態を背負い袋本体の背面側から見て示す背面図である。
【図２】図２（ａ）は本発明の実施の形態１にかかる子供用背負い袋のベルト類を背負い袋本体から引き出して、肩掛けベルトを交差させずに装着する寸前の状態を示す正面図、（ｂ）は肩掛けベルトを交差させて装着する寸前の状態を示す正面図である。
【図３】図３（ａ）は本発明の実施の形態１にかかる子供用背負い袋を用いて乳児を抱いた状態を示す斜視図、（ｂ）はもう少し大きい幼児を抱いた状態を示す斜視図である。
【図４】図４（ａ）は本発明の実施の形態２にかかる子供用背負い袋を示す背面図、図４（ｂ）〜（ｅ）は本発明の実施の形態２にかかる子供用背負い袋の背面に付けられるポケットの具体例を示す図である。
【図５】図５は本発明の実施の形態３にかかる子供用背負い袋におけるベルト類の背負い袋本体への取付け方を示す説明図である。
【図６】図６（ａ）は本発明の実施の形態４にかかる子供用背負い袋における２枚の子供用マントの背負い袋本体への取付け方を示す説明図、（ｂ）は実際に子供が子供用マントを装着した状態を示す斜視図である。
【図７】図７（ａ）は本発明の実施の形態４にかかる子供用背負い袋における一方の子供用マントの背負い袋本体への取付け方を示す説明図、（ｂ）は実際に子供が子供用マントを装着した状態を示す斜視図である。
【図８】図８（ａ）は本発明の実施の形態５にかかる子供用背負い袋においてベルト類を背負い袋本体内へ収納した状態を示す背面図、（ｂ）は肩紐の一方を分離した状態を示した正面図である。
【図９】図９（ａ）は本発明の実施の形態５にかかる子供用背負い袋においてベルト類の背負い袋本体への取付け方を示す説明図、（ｂ）は子供を左右の脇にずらして抱けるようにした股布地と腰ベルトの構造を示す部分拡大図である。
【図１０】図１０（ａ）は本発明の実施の形態５にかかる子供用背負い袋において上部開閉具を開いたところを示す図、（ｂ）は下部開閉具を開いたところを示す図である。
【図１１】図１１（ａ）〜（ｅ）は本発明の実施の形態５にかかる子供用背負い袋において上部開閉具及び下部開閉具の取付け方の変形例を示す概略図である。
【図１２】図１２（ａ）〜（ｉ）は本発明の実施の形態５にかかる子供用背負い袋の背中側に付けるポケットの様々な変形例を示す概略図である。
【図１３】図１３は実施の形態５の子供用リュックサック４１の上部ファスナー内に接着布を取付けて２種類の子供用マントを追加しただけの本発明の実施の形態６にかかる子供用リュックサックの上部ファスナーを開けて２種類の子供用マントを取付けた状態を示す図である。
【図１４】図１４は背面に中ポケットを追加しただけの本発明の実施の形態６にかかる子供用リュックサックの変形例の上部ファスナーと中ポケットのポケット下部ファスナーを開けて２種類の子供用マントを取付けた状態を示す図である。
【図１５】図１５は本発明の実施の形態６にかかる子供用リュックサックにおいて図１３の取付け方で実際に子供が２種類の子供用マントを装着した状態を示す斜視図である。
【図１６】図１６（ａ），（ｂ），（ｃ）は実施の形態５の子供用リュックサック４１をそのまま、（ｄ）は改良を加えて大人用バッグとして持ち歩く方法を示す説明図である。
【図１７】図１７（ａ），（ｂ），（ｃ）は実施の形態５の子供用リュックサック４１を大人用ショルダーバッグ或いはウエストポーチとして利用する方法を示す説明図である。
【図１８】図１８（ａ），（ｂ）は実施の形態５の子供用リュックサック４１を大人用リュックサックとして利用する方法を示す説明図である。
【符号の説明】
１，１１，２１，３１，４１，５５，５６，５７，５８，６０，６１，６２，６３，６４，６５，６６，６７，７０，７１，８５  子供用背負い袋
２，２２，４２  背負い袋本体
３，４３  肩紐
４ａ，４４  上部開閉具
４ｂ，４５  下部開閉具
５ａ，５ｂ，５ｃ，５ｄ，５ｅ，２５，４６，６０ｃ，６０ｄ，６１ｃ，６１ｆ，６２ｃ，６３ｃ，６４ｃ，６５ｃ，６７ｃ，７１ａ  ポケット
７，５２  肩掛けベルト
７ａ，１０ａ，５１ａ，５２ａ  長さ調節機構
８ａ  接続具の一方
８ｂ  接続具の他方
９，５０  股布地
１０，５１  腰ベルト
１５  保護者
１６  子供
２８，２９，７２，７３，８０  取付け具
３０，３５，７４，７７  子供用マント
３０ｂ，３５ｂ，７４ｂ，７７ｂ  鍔
３３，３６，７５，７８  止め紐
４３ａ  上部紐
４３ｂ  下部紐
８６  取っ手
９０  延長ベルト
【図１】
2005023455.tif 000003
【図２】
2005023455.tif 000004
【図３】
2005023455.tif 000005
【図４】
2005023455.tif 000006
【図５】
2005023455.tif 000007
【図６】
2005023455.tif 000008
【図７】
2005023455.tif 000009
【図８】
2005023455.tif 000010
【図９】
2005023455.tif 000011
【図１０】
2005023455.tif 000012
【図１１】
2005023455.tif 000013
【図１２】
2005023455.tif 000014
【図１３】
2005023455.tif 000015
【図１４】
2005023455.tif 000016
【図１５】
2005023455.tif 000017
【図１６】
2005023455.tif 000018
【図１７】
2005023455.tif 000019
【図１８】
2005023455.tif 000020